(57)【要約】【課題】  紙を消費することなく書類を作成できるようにする。さらに、手書情報を電子情報として蓄積できるようにし、この電子情報が書類に記載されるようにする。【解決手段】  全体が紙状で各種情報を書替自在に表示して維持する複数の情報表示媒体２、複数の情報蓄積媒体３、一個の情報記録装置４を設ける。情報記録装置４に手書入力された情報は情報表示媒体２の表示や情報蓄積媒体３の記憶に利用され、情報記録装置４により情報蓄積媒体３から読み出された情報も情報表示媒体２に表示される。情報表示媒体２は、表示した情報を維持し、その消去や修正も自在である。従って、情報処理装置１は、紙を消費することなく書類の作成や蓄積を実現することができる。【選択図】    図１
2004341538.tif 000002
【特許請求の範囲】
【請求項１】
全体が紙状に形成され、各種情報を書替自在に表示する画像表示面を有し、この画像表示面による各種画像の表示を維持する情報表示媒体、及び、
この情報表示媒体の画像表示面に表示される多数の各種情報を書替自在に記憶する情報蓄積媒体、及び、
前記情報表示媒体を交換自在に保持する媒体保持部と、前記情報蓄積媒体が交換自在に装着される媒体装着部と、各種情報の手書入力を受け付ける情報入力部と、手書入力された各種情報を前記情報蓄積媒体に記憶させる情報格納手段と、手書入力された各種情報を前記情報表示媒体の画像表示面に表示させる入力表示手段と、前記情報蓄積媒体から各種情報を読み出して前記情報表示媒体の画像表示面に表示させる読出表示手段と、を有する情報記録装置、
を備えたことを特徴とする情報処理装置。
【発明の詳細な説明】
【技術分野】
【０００１】
本発明は、各種情報を見られる状態で記録する装置に関する。
【背景技術】
【０００２】
従来、文字やイメージなどの各種情報を見られる状態で保存する手段として、紙が古来より利用されている。また、現在では、ディスプレイとデータメモリとを有するマイクロコンピュータにより、各種情報を見ることができるように保存することも行なわれている。
【０００３】
これらの手段には、各々に一長一短がある。例えば、紙では、記載した情報を一目で見ることができ、特定のフォーマットなどに束縛されることなく各種情報を自由に記載することができる。さらに、情報が鉛筆などで記載されていた場合、その情報を書き替えることも容易である。また、多量の情報を多数の紙に振り分けて記載した場合でも、特定の操作を必要とすることなく所望の情報を曖昧に感性で検索することが可能である。例えば、情報が個々に記載された多数の紙を広げて置けば、各々の情報を同時に見ることができ、複数の情報の比較や検討も容易である。
【０００４】
しかし、情報がインクなどで記載されている場合、その書き替えはできない。また、情報が多量になると紙も多数となり、持ち運びや保存が困難である。また、情報を感性で曖昧に検索することは容易であるが、多量の情報から特定の情報を論理的に検索するようなことは容易でない。さらに、鉛筆などで記載された情報は消去することも可能であるが、一般的に紙は使い捨てであり、多量の情報を取り扱うと多数の紙を消費することになる。
【０００５】
一方、マイクロコンピュータなどでは、多量の情報を高度に圧縮してフロッピディスクなどに格納することができるので、多量の情報の持ち運びや保存が容易である。また、一般的に情報は書替自在であり、キーワード検索などにより多量の情報から特定の情報を論理的に検索することが容易である。さらに、情報をディスプレイに表示することができ、一個のディスプレイで各種情報を繰り返し表示することができるので、紙のような消費材を必要としない。
【０００６】
しかし、マイクロコンピュータによる情報の検索には適切な操作が必要であり、情報を感性で曖昧に検索することが困難である。例えば、ディスプレイに複数のウィンドウを開いて各々に情報を表示するものがあるが、ディスプレイの大きさは固定なのでウィンドウの個々の大きさが小さくなり、複数の情報の比較や検討は容易でない。また、情報をディスプレイに表示すれば紙などは消費しないが、一般論としてディスプレイは紙より見にくい。
【発明の開示】
【発明が解決しようとする課題】
【０００７】
情報を読めるように保存する手段として、紙やマイクロコンピュータが利用されているが、上述のように各々に一長一短がある。
【０００８】
特に、昨今では各種の局面で多量の情報を取り扱うことが多いが、多量の紙は、持ち運ぶことが困難で保存にも適していない。また、多量の情報を紙に記録すると、多量の紙を消費することになり、これは環境破壊の主要な原因の一つとなっている。つまり、紙の原料は木材であり、多量の紙を消費することは多量の木の伐採を意味する。同時に、保存しない情報が記載された紙はゴミとなるので、多量の紙を消費すると多量のゴミが発生することになる。
【０００９】
マイクロコンピュータを利用した場合、消費材を要することなく多量の情報を取り扱うことができるが、情報を見ることが紙ほどは容易でない。特に、複数の情報を同時に見ることが容易でないので、複数の情報の比較や検討が困難であり、情報を感性で曖昧に検索することができない。
【課題を解決するための手段】
【００１０】
請求項１記載の情報処理装置は、全体が紙状に形成され、各種情報を書替自在に表示する画像表示面を有し、この画像表示面による各種画像の表示を維持する情報表示媒体、及び、この情報表示媒体の画像表示面に表示される多数の各種情報を書替自在に記憶する情報蓄積媒体、及び、前記情報表示媒体を交換自在に保持する媒体保持部と、前記情報蓄積媒体が交換自在に装着される媒体装着部と、各種情報の手書入力を受け付ける情報入力部と、手書入力された各種情報を前記情報蓄積媒体に記憶させる情報格納手段と、手書入力された各種情報を前記情報表示媒体の画像表示面に表示させる入力表示手段と、前記情報蓄積媒体から各種情報を読み出して前記情報表示媒体の画像表示面に表示させる読出表示手段とを有する情報記録装置、を備えた。従って、情報記録装置に情報表示媒体が保持された状態では、情報記録装置に手書入力された各種情報を情報表示媒体が表示し、情報記録装置に情報蓄積媒体が装着された状態では、情報記録装置に手書入力された各種情報を情報蓄積媒体が記憶し、情報記録装置に情報表示媒体が保持されると共に情報蓄積媒体が装着された状態では、情報記録装置により情報蓄積媒体から読み出された各種情報を情報表示媒体が表示する。つまり、情報表示媒体は、紙を消費することなく各種情報を繰り返し表示することができ、情報蓄積媒体は、情報表示媒体が表示する各種情報を多量に保存することができる。情報記録装置は、手書入力された各種情報を情報蓄積媒体に格納することができ、手書入力された各種情報を情報表示媒体に表示させることができ、情報蓄積媒体に保存された各種情報を情報表示媒体に表示させることができる。
【発明の効果】
【００１１】
請求項１記載の情報処理装置は、全体が紙状に形成され、各種情報を書替自在に表示する画像表示面を有し、この画像表示面による各種画像の表示を維持する情報表示媒体、及び、この情報表示媒体の画像表示面に表示される多数の各種情報を書替自在に記憶する情報蓄積媒体、及び、情報表示媒体を交換自在に保持する媒体保持部と、情報蓄積媒体が交換自在に装着される媒体装着部と、各種情報の手書入力を受け付ける情報入力部と、手書入力された各種情報を情報蓄積媒体に記憶させる情報格納手段と、手書入力された各種情報を情報表示媒体の画像表示面に表示させる入力表示手段と、情報蓄積媒体から各種情報を読み出して情報表示媒体の画像表示面に表示させる読出表示手段とを有する情報記録装置、を備えたことにより、この情報記録装置に手書入力された各種情報を情報表示媒体に表示させることができ、この情報表示媒体は表示する情報を維持し、その消去や修正も自在なので、紙を消費することなく書類の作成や蓄積を実現することができ、情報表示媒体が表示する各種情報を情報蓄積媒体により多量に保存することができるので、多量の紙を消費することなく多量の情報を蓄積することができる。
【発明を実施するための最良の形態】
【００１２】
本発明の実施の一形態を図１ないし図３に基づいて以下に説明する。まず、ここで情報処理装置として例示するペーパーシステム１は、図１に示すように、情報表示媒体である交換自在な複数のデジタルペーパー２と、情報蓄積媒体である交換自在な複数のメモリチップ３と、情報記録装置である一個のデジタイザボード４と、を有している。
【００１３】
前記デジタルペーパー２は、全体が紙状に形成されており、その厚さは 0.1(mm)程度でサイズはＡ４判である。図２に示すように、前記デジタルペーパー２は、ベースフィルム５を有しており、このベースフィルム５に画像表示層６と保護フィルム７とが順番に積層されている。前記ベースフィルム５は、熱伝導性が良好な白色の樹脂からなり、前記保護フィルム７は、透光性が良好な無色の樹脂からなる。前記画像表示層６は、ロイコ染料と顕色剤とを混合したカラーサーモクロミックからなり、ここでは加熱により透明状態と黒色状態とに可逆的に変化するよう調整されている。
【００１４】
前記画像表示層６が透明な部分では、これと透明な前記保護フィルム７を介して前記ベースフィルム５の白色が視認され、前記画像表示層６が黒色に変化した部分では、これが透明な前記保護フィルム７を介して視認される。このため、前記デジタルペーパー２には、表面の全域に画像表示面８が形成されており、この画像表示面８が各種情報を書替自在に表示する。この画像表示面８の画像表示は前記画像表示層６の状態変化により実現されるので、情報の表示と消去にはエネルギを消費するが、表示した画像情報の維持にはエネルギを消費しない。
【００１５】
前記メモリチップ３は、例えば、大容量のフラッシュメモリからなり、セントロニクスやＲＳ２３２Ｃなどの一般的な通信Ｉ／Ｆ（図示せず）が設けられている。このメモリチップ３は、前記デジタルペーパー２の画像表示面８に表示される多数の各種情報を書替自在に記憶し、このような情報の記憶や書替には電力を消費するが、記憶した情報の維持には電力を消費しない。
【００１６】
前記デジタイザボード４は、図１に示すように、平板状の本体ボード９を有しており、この本体ボード９の表面にヒートパネル１０が設けられている。このヒートパネル１０は、多数の発熱素子（図示せず）が 400(dpi；dot per inch）の密度で縦横に配列されており、Ａ４判より一回り大きいサイズに形成されている。前記本体ボード９の一端には、透明な入力フィルム１１が開閉自在に装着されており、この入力フィルム１１が前記ヒートパネル１０の表面に位置している。この入力フィルム１１は、一般的なタッチパネルの入力検知部と同様な構造に形成されており、Ａ４判より二回り大きいサイズに形成されている。前記ヒートパネル１０の表面に前記デジタルペーパー２を載置することができ、このデジタルペーパー２を前記入力フィルム１１により保持することができるので、ここにデジタルペーパー２を交換自在に保持する媒体保持部としてペーパーセット部１２が形成されている。
【００１７】
前記本体ボード９の他端には、細長いＩ／Ｆ(Interface）ボックス１３が設けられており、このＩ／Ｆボックス１３には、前記メモリチップ３が交換自在に装着される蓄積装着部としてソケット１４が設けられている。さらに、セントロニクスやＲＳ２３２Ｃなどの一般的な通信Ｉ／Ｆ１５が設けられており、商用電源（図示せず）に着脱自在に接続される電源コード１６も設けられている。前記本体ボード９の手前の一角には、操作部１７が設けられており、この操作部１７には次頁キー１８や前頁キー１９などが設けられている。
【００１８】
また、前記デジタイザボード４は、図３に示すように、ワンチップＣＰＵ(Central Processing Unit）２０を有しており、このワンチップＣＰＵ２０には、前記入力フィルム１１の検出回路２１、前記ヒートパネル１０の駆動回路２２、前記ソケット１４、前記通信Ｉ／Ｆ１５、前記操作部１７、ＣＧ(Character Generator）２３、データメモリ２４、などが接続されている。また、前記電源コード１６が接続された本体電源２５も設けられており、この本体電源２５が各部に電力を供給する。前記メモリチップ３は、前記デジタルペーパー２の画像情報を多量に記憶する大容量に形成されているが、前記データメモリ２４は、前記デジタルペーパー２の画像情報を一つだけ記憶する小容量のページメモリとして形成されている。
【００１９】
前記デジタイザボード４は、前記ワンチップＣＰＵ２０が適切なプログラムに従って各種の情報処理を実行することにより、情報入力部、情報格納手段、入力表示手段、読出表示手段、を有している。
【００２０】
前記情報入力部は、ハードウェアとして前記入力フィルム１１や前記ワンチップＣＰＵ２０や前記検出回路２１などを有しており、各種情報の手書入力を受け付ける。より詳細には、所定の動作モードが設定された状態において、前記入力フィルム１１に文字などが手書入力されると、その入力パターンを前記検出回路２１により検出し、この入力パターンを前記ワンチップＣＰＵ２０がパターンマッチングによりキャラクタとして認識する。
【００２１】
前記情報格納手段は、前記ワンチップＣＰＵ２０や前記ソケット１４を有しており、上述のように手書入力されてキャラクタコードに変換された一面の情報を前記ワンチップＣＰＵ２０により前記ソケット１４から前記メモリチップ３に格納することにより、手書入力された各種情報をメモリチップ３に記憶させる。
【００２２】
前記入力表示手段は、前記ヒートパネル１０や前記ワンチップＣＰＵ２０や前記データメモリ２４などを有しており、上述のように手書入力された各種情報を前記デジタルペーパー２の画像表示面８に表示させる。より詳細には、上述のように手書入力されてキャラクタコードに変換された一面の情報は、前記ワンチップＣＰＵ２０により前記ＣＧ２３から読み出されるキャラクタの画像データに変換されて前記データメモリ２４に展開される。この展開された一面の画像データに従って前記駆動回路２２が前記ヒートパネル１０を駆動すると、このヒートパネル１０に載置されている前記デジタルペーパー２が画像データの形状に加熱される。この場合、前記デジタルペーパー２は加熱された画像データの部分のみ黒色に変化するので、ここに手書入力された各種情報が表示される。
【００２３】
同様に、前記読出表示手段は、前記ヒートパネル１０や前記ソケット１４や前記ワンチップＣＰＵ２０などを有しており、このワンチップＣＰＵ２０により前記ソケット１４に装着された前記メモリチップ３から各種情報を読み出し、これを前記ヒートパネル１０により前記デジタルペーパー２の画像表示面８に表示させる。
【００２４】
なお、前記通信Ｉ／Ｆ１５には、ホストコンピュータやファクシミリやイメージスキャナなどの一般的な情報機器２６などが接続コネクタにより着脱自在に接続されるが、このような情報機器２６から前記通信Ｉ／Ｆ１５に入力された各種情報を前記メモリチップ３に記憶させることや前記デジタルペーパー２に表示させることもでき、前記入力フィルム１１に手書入力された各種情報や前記メモリチップ３から読み出した各種情報を前記情報機器２６に出力することもできる。      
【００２５】
このような構成において、上述したペーパーシステム１の使用方法を以下に具体的に説明する。まず、デジタイザボード４を商用電源に接続し、このデジタイザボード４にメモリチップ３を装着すると共にデジタルペーパー２を装填する。このような状態で、例えば、入力フィルム１１の表面に文字などを手書入力すると、この手書入力された各種情報がデジタイザボード４によりキャラクタとして認識され、ヒートパネル１０の発熱によりデジタルペーパー２にキャラクタとして表示される。このように各種情報を表示したデジタルペーパー２は、デジタイザボード４から取り出しても表示画像を維持するので、これは情報を記載した紙と同様に取り扱うことができる。一方、各種情報を表示したデジタルペーパー２をデジタイザボード４に装填すれば、その表示情報を消去することや修正することもできる。
【００２６】
例えば、大人数の会議で多量の書類を使用する場合でも、その書類をデジタルペーパー２により作成すれば、会議の終了後に不要な情報のデジタルペーパー２は白紙に戻すことができ、次回の使用に利用することができる。さらに、会議の参加者の各々にデジタイザボード４を用意すれば、各々が所望の情報をデジタルペーパー２に追記することもできる。このような多数のデジタイザボード４を通信回線で接続すれば、各々のデジタルペーパー２に新規の情報を同時に表示させることもでき、一人の提案を他のデジタルペーパー２に表示させることもできる。このように情報の追記などを行なった必要なデジタルペーパー２は、そのままの状態で書類として保存することができ、これも情報が不要になった時点で白紙に戻すことができる。
【００２７】
しかも、上述したペーパーシステム１では、紙に情報を記載する場合と同様な手書入力によりデジタルペーパー２に情報を表示させることができ、マイクロコンピュータのような特定の操作は必要としない。このように情報を表示したデジタルペーパー２は、情報が記載された紙と同様に取り扱うことができるが、デジタルペーパー２は情報を書替自在に繰り返し表示することができるので紙を消費することがない。つまり、情報を見られる状態で保存するために紙を消費しないので、紙の原料となる木の伐採の削減に寄与することができ、廃棄した紙によるゴミの削減にも寄与することができ、環境破壊の防止に寄与することができる。
【００２８】
さらに、複数のデジタルペーパー２の各々に各種の情報を表示させれば、複数の情報の比較や検討も容易に行なうことができ、情報を感性で曖昧に検索するようなことも容易である。特に、上述したデジタルペーパー２は、白地に黒色で画像を表示し、その画像を発光によらず反射により表示するので、これは紙に記載した画像と同様に良好に見ることができる。また、上述したデジタルペーパー２は、その構造が極めて単純であり、安価に大量生産することができるので、紙と同様に気軽に取り扱うことができる。
【００２９】
また、デジタイザボード４に手書入力した各種情報をメモリチップ３に記憶させることもできるので、デジタルペーパー２に表示される情報を多量に保存することや持ち運ぶことが容易である。このようにメモリチップ３に記憶された各種情報をデジタイザボード４によりデジタルペーパー２に表示させることもできるので、一枚のデジタルペーパー２に多量の画像情報を順番に表示させることもできる。前述した会議の書類なども、情報を表示させたデジタルペーパー２でなく、情報を格納したメモリチップ３の形態で供給することが可能であり、この場合は利用者が所望の情報を選択してデジタイザボード４によりデジタルペーパー２に表示させることができる。
【００３０】
同様に、ホストコンピュータやファクシミリやイメージスキャナなどの情報機器２６からデジタイザボード４に送信された情報をデジタルペーパー２に表示させることもでき、デジタイザボード４に手書入力された情報を情報機器２６に送信することもできる。例えば、従来は書類のコピーやファクシミリの出力を紙により実行していたが、これをデジタルペーパー２で実行することができ、紙の消費を防止することができる。
【００３１】
なお、本発明は上記した実施の形態に限定されるものではなく、各種の変形を許容する。例えば、デジタルペーパー２としてもカラーサーモクロミックにより画像を表示するものに限定されず、画像を書替自在に繰り返し表示することができ、表示した画像が電力を消費することなく維持されるものであり、紙と同様な形状に形成できるものであれば、各種の表示媒体が利用できる。このような表示材料としては、サーモクロミック、エレクトロクロミック、フォトクロミック、ポリマー液晶、強誘電性液晶、双安定ネマティック液晶、相転移型液晶、液晶感光体ライトバルブ、磁気泳動表示体、電気泳動表示体、などがある。
【００３２】
これらは何れも周知の表示媒体なので説明は割愛するが、これらでデジタルペーパー２を製作した場合、各々の画像表示に対応した形態にデジタイザボード４を製作することは当然である。例えば、エレクトロクロミックは加熱ではなく電圧に対応して画像を表示するので、これでデジタルペーパー２を製作した場合は、多数の電極を縦横に配列した電極パネルをヒートパネル１０に換装してデジタイザボードを製作することが好ましい。同様に、フォトクロミックは特定波長の光線に対応して画像を表示するので、これでデジタルペーパー２を製作した場合は、多数の発光素子を縦横に配列した発光パネルをデジタイザボードに設けることが好ましい。
【００３３】
なお、上述したカラーサーモクロミックは、白地に黒色で画像を表示させることができ、高密度な画像表示が容易であり、折り曲げは困難でも湾曲は容易なので、デジタルペーパー２を紙に近似した形態に製作することができる。このようなデジタルペーパー２の保護フィルム７の表面を粗面に形成すれば、ここに鉛筆などで情報を記載することも可能となり、より紙に近いデジタルペーパー２を実現することができる。
【００３４】
また、ここではメモリチップ３をフラッシュメモリにより製作することを例示したが、これも多量の情報を書替自在に蓄積する媒体であれば良く、ＥＥＰＲＯＭ(Electrically Erasable Programmable Read Only Memory)や、電池でバック
アップしたＲＡＭ(Random Access Memory)などが利用できる。
【００３５】
さらに、上述したデジタイザボード４では、多数の発熱素子を縦横に配列したヒートパネル１０を設けたが、これもデジタルペーパー２にドットマトリクスの画像を表示させるものであれば良く、例えば、左右方向に発熱素子が連続するラインヘッドを前後方向に移動自在に設ける構造なども可能である。さらに、上述したデジタイザボード４では、手書入力の情報をキャラクタに認識してからデジタルペーパー２の表示やメモリチップ３の記憶に利用することを例示したが、手書入力の画像情報をイメージのままデジタルペーパー２の表示やメモリチップ３の記憶に利用することも可能である。この場合、情報の容量は増加するが、キャラクタでない絵柄なども情報として利用することができ、より紙に近似した形態でデジタルペーパー２を使用することができる。
【００３６】
さらに、デジタイザボード４が情報機器２６と情報を相互に伝達し、メモリチップ３がデジタイザボード４と情報を相互に伝達することを例示したが、メモリチップ３が情報機器２６と直接に情報を伝達することも可能であり、このような情報の伝達を無線通信で実現することも可能である。
【００３７】
つぎに、本発明の第一の参考例を図４ないし図６に基づいて以下に説明する。なお、ここで情報処理装置として例示するペーパーシステム３１に関し、上述したペーパーシステム１と同一の部分は、同一の名称及び符号を利用して詳細な説明は省略する。まず、ここで例示するペーパーシステム３１は、図４に示すように、前述したペーパーシステム１と同様に、情報表示媒体である複数のデジタルペーパー３２と情報記録装置である一個のデジタイザボード３３とを有しているが、前述したペーパーシステム１とは相違してメモリチップ３は有しておらず、前記デジタルペーパー３２の構造が前述したデジタルペーパー２とは相違している。
【００３８】
このデジタルペーパー３２は、図５に示すように、ベースフィルム５と画像表示層６と保護フィルム７とからなる画像表示面８を有するが、この画像表示面８の一縁部に情報記憶部３４が接続されている。この情報記憶部３４は、例えば、大容量のフラッシュメモリからなり、画像表示面８に表示される多数の各種情報を書替自在に記憶する。この情報記憶部３４は裏面に通信Ｉ／Ｆとなる多数の接続端子（図示せず）が設けられており、各種情報の記憶と読出とには電力を消費するが、記憶した各種情報の維持には電力を消費しない。
【００３９】
前記デジタイザボード３３は、ヒートパネル１０の一縁部に通信Ｉ／Ｆ３５が設けられており、この通信Ｉ／Ｆ３５は、ヒートパネル１０に前記デジタルペーパー３２が載置されると、その情報記憶部３４に導通する。図６に示すように、前記通信Ｉ／Ｆ３５はワンチップＣＰＵ２０に接続されており、このワンチップＣＰＵ２０は、適切なプログラムに従って各種の情報処理を実行する。
【００４０】
そこで、前記デジタイザボード３３は、情報格納手段と読出表示手段とを有しており、前記情報格納手段は、入力フィルム１１に手書入力された各種情報を前記デジタルペーパー３２の情報記憶部３４に前記通信Ｉ／Ｆ３５から格納し、前記読出表示手段は、前記デジタルペーパー３２の情報記憶部３４に記憶された各種情報を前記通信Ｉ／Ｆ３５から読み出して前記ヒートパネル１０により前記画像表示面８に表示させる。
【００４１】
このような構成において、上述したペーパーシステム３１の使用方法を以下に簡単に説明する。まず、デジタイザボード３３にデジタルペーパー３２を装填した状態で、入力フィルム１１に各種情報を手書入力すると、この手書入力された各種情報をデジタルペーパー３２が画像表示面８に表示する。また、入力フィルム１１に手書入力された各種情報をデジタルペーパー３２の情報記憶部３４に格納することもでき、デジタルペーパー３２の情報記憶部３４から読み出した各種情報を画像表示面８に表示させることもできる。
【００４２】
つまり、上述したデジタルペーパー３２は、その画像表示面８に表示できる多量の情報を情報記憶部３４に記憶することができるので、一枚の紙と同様に手軽に取り扱うことができるが、書籍と同様に多量の情報を蓄積してユーザに提供することができる。
【００４３】
なお、本発明も上記した実施の形態に限定されるものではなく、各種の変形を許容する。例えば、上述したデジタルペーパー３２は、画像表示面８と情報記憶部３４とが並列に設けられているので、その全面に情報を表示することはできない。これが問題となる場合には、画像表示面８の裏面に情報記憶部を設ければ、その全面に情報を表示することができる。なお、この場合は画像表示面８の加熱が困難になる可能性があるので、上述した二つの方式は仕様などに対応して選択することが好ましい。
【００４４】
つぎに、本発明の第二の参考例を図７ないし図１０に基づいて以下に説明する。なお、ここで情報処理装置として例示するペーパーシステム４１に関し、前述したペーパーシステム１と同一の部分は、同一の名称及び符号を利用して詳細な説明は省略する。まず、ここで例示するペーパーシステム４１は、図７に示すように、情報表示媒体である交換自在な複数のデジタルペーパー４２と情報蓄積媒体である交換自在な複数のメモリチップ４３とを有しているが、前述したペーパーシステム１とは相違してデジタイザボード４は有していない。
【００４５】
前記デジタルペーパー４２は、図８に示すように、画像表示層６の下面に発熱電極層４４が追加されており、画像表示面８の一縁部にＩ／Ｆ部４５が設けられている。前記発熱電極層４４は、縦電極層と抵抗体層と横電極層とが順番に積層されており、マトリクス配線の交点として多数の発熱部（図示せず）が 400(dpi）の密度で縦横に形成されている。前記Ｉ／Ｆ部４５は、前記メモリチップ４３に対応した形状に多数の接続端子（図示せず）が連設されており、これらの接続端子が前記発熱電極層４４に接続されている。
【００４６】
前記メモリチップ４３は、図９に示すように、前面に形成されたスリット４６により、前記デジタルペーパー４２のＩ／Ｆ部４５に着脱自在に装着されるクリップ部が設けられている。前記スリット４６の内部の上面と下面とには、通信Ｉ／Ｆ４７となる多数の接続端子（図示せず）が連設されており、これらの接続端子は前記デジタルペーパー４２のＩ／Ｆ部４５の接続端子に個々に対応している。前記メモリチップ４３の上面には操作部４８が設けられており、この操作部４８には、オンスイッチ４９、オフスイッチ５０、次頁キー１８、前頁キー１９、などが設けられている。前記メモリチップ４３の後面には、セントロニクスやＲＳ２３２Ｃなどの一般的な通信Ｉ／Ｆ１５が設けられており、この通信Ｉ／Ｆ１５には接続コネクタ（図示せず）により情報機器２６が着脱自在に接続される。
【００４７】
さらに、前記メモリチップ４３は、図１０に示すように、ワンチップＣＰＵ２０に、通信Ｉ／Ｆ１５、前記操作部４８、データメモリ５１、駆動回路２２、などが接続されており、この駆動回路２２に、前記通信Ｉ／Ｆ４７が接続されている。また、リチウムイオン充電池からなる本体電源５２も設けられており、この本体電源５２が各部に電力を供給する。前記データメモリ５１は、例えば、大容量のフラッシュメモリからなり、前記デジタルペーパー４２の画像表示面８に表示される多数の各種情報を書替自在に記憶する。
【００４８】
前記ワンチップＣＰＵ２０は、適切なプログラムに従って各種の情報処理を実行するので、前記メモリチップ４３は、情報蓄積手段と読出表示手段とを有している。前記情報蓄積手段は、情報機器２６から通信Ｉ／Ｆ１５に各種情報が送信されると、この各種情報を前記ワンチップＣＰＵ２０により前記データメモリ５１に格納する。前記読出表示手段は、前記スリット４６に前記デジタルペーパー４２のＩ／Ｆ部４５が装着された状態で前記操作部４８のオンスイッチ４９が手動操作されると、前記データメモリ５１に格納された多数の各種情報から第一の情報を読み出し、この情報を前記駆動回路２２により駆動電力として前記通信Ｉ／Ｆ４７から前記デジタルペーパー４２のＩ／Ｆ部４５に入力する。
【００４９】
このように前記メモリチップ４３から駆動電力として各種情報が入力される前記デジタルペーパー４２は、入力表示手段を有している。この入力表示手段は、各種情報が駆動電力として前記Ｉ／Ｆ部４５に入力されると、前記発熱電極層４４の発熱により画像表示面８に情報を表示する。
【００５０】
なお、上述のような状態で前記メモリチップ４３の頁キー１８，１９が手動操作されると、前記データメモリ５１から読み出される情報が順番に切り替わるので、前記デジタルペーパー４２に表示される画像も順次切り替わる。
【００５１】
このような構成において、上述したペーパーシステム４１の使用方法を以下に簡単に説明する。まず、情報機器２６を接続コネクタによりメモリチップ４３に接続し、所望の情報を情報機器２６から出力してメモリチップ４３に蓄積させる。このようなメモリチップ４３をデジタルペーパー４２のＩ／Ｆ部４５に装着してオンスイッチ４９を手動操作すると、メモリチップ４３に蓄積された一頁の情報が読み出されてデジタルペーパー４２の画像表示面８に表示される。このような状態でメモリチップ４３の次頁キー１８を手動操作するとデジタルペーパー４２に次頁の情報が表示され、前頁キー１９を手動操作すると前頁の情報が表示される。
【００５２】
上述したペーパーシステム４１は、メモリチップ４３をデジタルペーパー４２に装着するだけで多量の情報を見ることができ、デジタイザボード４のように大型の装置を要しないので、書籍と同様な多量の情報を一枚の書類と同様に手軽に取り扱うことができる。
【００５３】
つぎに、本発明の第三の参考例を図１１及び図１２に基づいて以下に説明する。なお、ここで情報処理装置として例示するペーパーシステム６１に関し、前述したペーパーシステム１と同一の部分は、同一の名称及び符号を利用して詳細な説明は省略する。まず、ここで例示するペーパーシステム６１では、図１１に示すように、交換自在な複数のデジタルペーパー２と情報記録装置である一台のデジタイザボード６２とを有しているが、前述したペーパーシステム１とは相違して情報蓄積媒体３は有していない。そして、前記デジタイザボード６２は、図１２に示すように、前記デジタルペーパー２の画像情報を記憶するデータメモリ５１を有しているが、これは多量の画像情報を記憶する大容量に形成されている。
【００５４】
このような構成において、上述したペーパーシステム６１の使用方法を以下に簡単に説明する。まず、デジタイザボード６２にデジタルペーパー２を装填した状態で入力フィルム１１に各種情報を手書入力すると、この手書入力された各種情報がデジタルペーパー２の画像表示面８に表示される。一方、入力フィルム１１に手書入力された各種情報をデジタイザボード６２のデータメモリ５１に格納することもでき、このデータメモリ５１は多数の画像情報を蓄積することができるので、このデータメモリ５１から所望により読み出した各種情報をデジタルペーパー２の画像表示面８に表示させることもできる。
【００５５】
つまり、上述したペーパーシステム６１では、デジタルペーパー２に表示できる多量の情報をデジタイザボード６２に記憶させることができるので、このデジタイザボード６２により各種の書類に相当するデジタルペーパー２を生産するようなことができる。
【００５６】
なお、上述したペーパーシステム６１では、多量の画像情報を記憶するデジタイザボード６２がデジタルペーパー２に組み合わされているが、一つの画像情報のみ記憶するデジタイザボード３３をデジタルペーパー２に組み合わせて情報処理装置（図示せず）を形成することも可能である。この場合、デジタイザボード３３を情報機器２６に接続すれば、この情報機器２６が出力する各種情報をデジタルペーパー２に表示させることができる。
【図面の簡単な説明】
【００５７】
【図１】本発明の情報処理装置の実施の一形態となるペーパーシステムを示す分解斜視図である。
【図２】情報表示媒体であるデジタルペーパーを示す縦断側面図である。
【図３】ペーパーシステムの回路構造を示すブロック図である。
【図４】本発明の情報処理装置の第一の参考例となるペーパーシステムを示す分解斜視図である。
【図５】デジタルペーパーを示す縦断側面図である。
【図６】ペーパーシステムの回路構造を示すブロック図である。
【図７】本発明の情報処理装置の第二の参考例となるペーパーシステムを示す分解斜視図である。
【図８】デジタルペーパーを示す縦断側面図である。
【図９】情報蓄積媒体であるメモリチップを示す斜視図である。
【図１０】ペーパーシステムの回路構造を示すブロック図である。
【図１１】本発明の情報処理装置の第三の参考例となるペーパーシステムを示す分解斜視図である。
【図１２】ペーパーシステムの回路構造を示すブロック図である。
【符号の説明】
【００５８】
１    情報処理装置
２    情報表示媒体
３    情報蓄積媒体
４    情報記録装置
８    画像表示面
１２    媒体保持部
１４    媒体装着部
【図１】
2004341538.tif 000003
【図２】
2004341538.tif 000004
【図３】
2004341538.tif 000005
【図４】
2004341538.tif 000006
【図５】
2004341538.tif 000007
【図６】
2004341538.tif 000008
【図７】
2004341538.tif 000009
【図８】
2004341538.tif 000010
【図９】
2004341538.tif 000011
【図１０】
2004341538.tif 000012
【図１１】
2004341538.tif 000013
【図１２】
2004341538.tif 000014
【手続補正書】
【提出日】平成16年6月16日(2004.6.16)
【手続補正１】
【補正対象書類名】特許請求の範囲
【補正対象項目名】全文
【補正方法】変更
【補正の内容】
【特許請求の範囲】
【請求項１】
各種情報を書替自在に表示する画像表示面を有し、この画像表示面による各種画像の表示を維持する情報表示媒体、及び、
この情報表示媒体の画像表示面に表示される多数の各種情報を書替自在に記憶する情報蓄積媒体、及び、
前記情報表示媒体を交換自在に保持する媒体保持部と、前記情報蓄積媒体が交換自在に装着される媒体装着部と、各種情報の手書入力を受け付ける情報入力部と、手書入力された各種情報を前記情報蓄積媒体に記憶させる情報格納手段と、手書入力された各種情報を前記情報表示媒体の画像表示面に表示させる入力表示手段と、前記情報蓄積媒体から各種情報を読み出して前記情報表示媒体の画像表示面に表示させる読出表示手段と、を有する情報記録装置、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報処理装置。
【請求項２】
各種情報を書替自在に表示する画像表示面を有し、表示される多数の各種情報を書替自在に記憶する情報記憶部を有し、一画面の各種情報の表示と多数の各種情報の記憶とを維持する情報表示媒体、及び、
前記情報表示媒体を交換自在に保持する媒体保持部と、各種情報の手書入力を受け付ける情報入力部と、手書入力された各種情報を前記情報表示媒体の情報記憶部に記憶させる情報格納手段と、手書入力された各種情報を前記情報表示媒体の画像表示面に表示させる入力表示手段と、前記情報表示媒体の情報記憶部から各種情報を読み出して前記画像表示面に表示させる読出表示手段と、を有する情報記録装置、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報処理装置。
【請求項３】
各種情報を書替自在に表示する画像表示面を有し、この画像表示面による各種画像の表示を維持する情報表示媒体、及び、
この情報表示媒体の画像表示面に表示される多数の各種情報を書替自在に記憶する情報記憶部と、前記情報表示媒体を交換自在に保持する媒体保持部と、各種情報の手書入力を受け付ける情報入力部と、手書入力された各種情報を前記情報記憶部に記憶させる情報格納手段と、手書入力された各種情報を前記情報表示媒体の画像表示面に表示させる入力表示手段と、前記情報記憶部から各種情報を読み出して前記情報表示媒体の画像表示面に表示させる読出表示手段と、を有する情報記録装置、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報処理装置。
【請求項４】
各種情報を書替自在に表示する画像表示面を有し、この画像表示面による各種画像の表示を維持する情報表示媒体、及び、
この情報表示媒体を交換自在に保持する媒体保持部と、各種情報の手書入力を受け付ける情報入力部と、手書入力された各種情報を前記情報表示媒体の画像表示面に表示させる入力表示手段と、を有する情報記録装置、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報処理装置。
【請求項５】
各種情報を書替自在に表示して維持する複数の情報表示媒体を交換自在に保持する媒体保持部と、情報蓄積媒体が交換自在に装着される媒体装着部と、各種情報の手書入力を受け付ける情報入力部と、手書入力された各種情報を前記情報表示媒体の画像表示面に表示させる入力表示手段と、前記情報蓄積媒体から各種情報を読み出して前記情報表示媒体の画像表示面に表示させる読出表示手段と、手書入力された各種情報を前記情報蓄積媒体に記憶させる情報格納手段と、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報記録装置。
【請求項６】
各種情報を書替自在に表示して維持する情報表示媒体の画像表示面に表示される多数の各種情報を書替自在に記憶する情報記憶部と、前記情報表示媒体を交換自在に保持する媒体保持部と、各種情報の手書入力を受け付ける情報入力部と、手書入力された各種情報を前記情報表示媒体の画像表示面に表示させる入力表示手段と、前記情報記憶部から各種情報を読み出して前記情報表示媒体の画像表示面に表示させる読出表示手段と、手書入力された各種情報を前記情報記憶部に記憶させる情報格納手段と、
を備え、
前記情報表示媒体は、感熱性可逆媒体であり、
前記媒体保持部は、ヒートパネルとこのヒートパネルの表面に開閉自在に装着された入力フィルムとを有し、前記ヒートパネルと前記入力フィルムとの間に前記情報表示媒体を載置し、
前記入力フィルムは、各種情報の入力を受け付けるためのタッチパネル構造を有して前記情報入力部の一部を構成し、
前記入力表示手段は、前記入力フィルムに手書入力された情報に応じて前記ヒートパネルを加熱し、当該情報を前記情報表示媒体に表示する、
ことを特徴とする情報記録装置。
【手続補正２】
【補正対象書類名】明細書
【補正対象項目名】００１０
【補正方法】変更
【補正の内容】
【００１０】
請求項１記載の情報処理装置は、各種情報を書替自在に表示する画像表示面を有し、この画像表示面による各種画像の表示を維持する情報表示媒体、及び、この情報表示媒体の画像表示面に表示される多数の各種情報を書替自在に記憶する情報蓄積媒体、及び、前記情報表示媒体を交換自在に保持する媒体保持部と、前記情報蓄積媒体が交換自在に装着される媒体装着部と、各種情報の手書入力を受け付ける情報入力部と、手書入力された各種情報を前記情報蓄積媒体に記憶させる情報格納手段と、手書入力された各種情報を前記情報表示媒体の画像表示面に表示させる入力表示手段と、前記情報蓄積媒体から各種情報を読み出して前記情報表示媒体の画像表示面に表示させる読出表示手段とを有する情報記録装置、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。従って、情報記録装置に情報表示媒体が保持された状態では、情報記録装置に手書入力された各種情報を情報表示媒体が表示し、情報記録装置に情報蓄積媒体が装着された状態では、情報記録装置に手書入力された各種情報を情報蓄積媒体が記憶し、情報記録装置に情報表示媒体が保持されると共に情報蓄積媒体が装着された状態では、情報記録装置により情報蓄積媒体から読み出された各種情報を情報表示媒体が表示する。つまり、情報表示媒体は、紙を消費することなく各種情報を繰り返し表示することができ、情報蓄積媒体は、情報表示媒体が表示する各種情報を多量に保存することができる。情報記録装置は、手書入力された各種情報を情報蓄積媒体に格納することができ、手書入力された各種情報を情報表示媒体に表示させることができ、情報蓄積媒体に保存された各種情報を情報表示媒体に表示させることができる。
請求項２記載の情報処理装置は、各種情報を書替自在に表示する画像表示面を有し、表示される多数の各種情報を書替自在に記憶する情報記憶部を有し、一画面の各種情報の表示と多数の各種情報の記憶とを維持する情報表示媒体、及び、前記情報表示媒体を交換自在に保持する媒体保持部と、各種情報の手書入力を受け付ける情報入力部と、手書入力された各種情報を前記情報表示媒体の情報記憶部に記憶させる情報格納手段と、手書入力された各種情報を前記情報表示媒体の画像表示面に表示させる入力表示手段と、前記情報表示媒体の情報記憶部から各種情報を読み出して前記画像表示面に表示させる読出表示手段と、を有する情報記録装置、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。
請求項３記載の情報処理装置は、各種情報を書替自在に表示する画像表示面を有し、この画像表示面による各種画像の表示を維持する情報表示媒体、及び、この情報表示媒体の画像表示面に表示される多数の各種情報を書替自在に記憶する情報記憶部と、前記情報表示媒体を交換自在に保持する媒体保持部と、各種情報の手書入力を受け付ける情報入力部と、手書入力された各種情報を前記情報記憶部に記憶させる情報格納手段と、手書入力された各種情報を前記情報表示媒体の画像表示面に表示させる入力表示手段と、前記情報記憶部から各種情報を読み出して前記情報表示媒体の画像表示面に表示させる読出表示手段と、を有する情報記録装置、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。
請求項４記載の情報処理装置は、各種情報を書替自在に表示する画像表示面を有し、この画像表示面による各種画像の表示を維持する情報表示媒体、及び、この情報表示媒体を交換自在に保持する媒体保持部と、各種情報の手書入力を受け付ける情報入力部と、手書入力された各種情報を前記情報表示媒体の画像表示面に表示させる入力表示手段と、を有する情報記録装置、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。
請求項５記載の情報処理装置は、各種情報を書替自在に表示して維持する複数の情報表示媒体を交換自在に保持する媒体保持部と、情報蓄積媒体が交換自在に装着される媒体装着部と、各種情報の手書入力を受け付ける情報入力部と、手書入力された各種情報を前記情報表示媒体の画像表示面に表示させる入力表示手段と、前記情報蓄積媒体から各種情報を読み出して前記情報表示媒体の画像表示面に表示させる読出表示手段と、手書入力された各種情報を前記情報蓄積媒体に記憶させる情報格納手段と、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。
請求項６記載の情報処理装置は、各種情報を書替自在に表示して維持する情報表示媒体の画像表示面に表示される多数の各種情報を書替自在に記憶する情報記憶部と、前記情報表示媒体を交換自在に保持する媒体保持部と、各種情報の手書入力を受け付ける情報入力部と、手書入力された各種情報を前記情報表示媒体の画像表示面に表示させる入力表示手段と、前記情報記憶部から各種情報を読み出して前記情報表示媒体の画像表示面に表示させる読出表示手段と、手書入力された各種情報を前記情報記憶部に記憶させる情報格納手段と、を備え、前記情報表示媒体は、感熱性可逆媒体であり、前記媒体保持部は、ヒートパネルとこのヒートパネルの表面に開閉自在に装着された入力フィルムとを有し、前記ヒートパネルと前記入力フィルムとの間に前記情報表示媒体を載置し、前記入力フィルムは、各種情報の入力を受け付けるためのタッチパネル構造を有して前記情報入力部の一部を構成し、前記入力表示手段は、前記入力フィルムに手書入力された情報に応じて前記ヒートパネルを加熱し、当該情報を前記情報表示媒体に表示するようにした。
【手続補正３】
【補正対象書類名】明細書
【補正対象項目名】００１１
【補正方法】変更
【補正の内容】
【００１１】
本発明によれば、情報記録装置に手書入力された各種情報を情報表示媒体に表示させることができ、この情報表示媒体は表示する情報を維持し、その消去や修正も自在なので、紙を消費することなく書類の作成や蓄積を実現することができ、情報表示媒体が表示する各種情報を情報蓄積媒体により多量に保存することができるので、多量の紙を消費することなく多量の情報を蓄積することができる。